(57)【要約】【課題】起泡性が良好で、クリーミーな泡質であり、使用後に嫌なつっぱり感がなくしっとりとした感触に優れ、ひび割れやべたつきといった外観上の不具合が生じ難く、薄紫から濃紫色を呈する固形石けん組成物の提供。【解決手段】下記（ａ），（ｂ），（ｃ），（ｄ）からなる固形石けん組成物。（ａ）コケモモ（Vaccinium vitis-idaea）果実抽出物０．００１〜５質量％、（ｂ）飽和脂肪酸アルカリ金属塩３０〜９９質量％、（ｃ）グリセリン、スクロース、ソルビトール、グリコシルトレハロースから選ばれる１種以上の多価アルコール０．１〜５０質量％、（ｄ）水【選択図】なし【特許請求の範囲】
【請求項１】
下記（ａ），（ｂ），（ｃ），（ｄ）からなる固形石けん組成物。
（ａ）コケモモ（Vaccinium vitis-idaea）果実抽出物０．００１〜５質量％、
（ｂ）飽和脂肪酸アルカリ金属塩３０〜９９質量％、
（ｃ）グリセリン、スクロース、ソルビトール、グリコシルトレハロースから選ばれる１種以上の多価アルコール０．１〜５０質量％、
（ｄ）水
【請求項２】
前記（ｂ）飽和脂肪酸アルカリ金属塩を構成する飽和脂肪酸が、ラウリン酸１０〜４０質量％、ミリスチン酸３０〜７０質量％、パルミチン酸５〜２５質量％、ステアリン酸０〜３０質量％からなり、かつラウリン酸、ミリスチン酸、パルミチン酸およびステアリン酸の合計量が１００質量％であって、アルカリ金属がナトリウムおよびカリウムであり、ナトリウム／カリウムの質量比が９９／１〜５０／５０である請求項１記載の固形石けん組成物。
【発明の詳細な説明】
【技術分野】
【０００１】
本発明は、固形石けん組成物に関し、更に詳しくは起泡性が良好で、クリーミーな泡質であり、使用後に嫌なつっぱり感がなくしっとりとした感触に優れ、ひび割れやべたつきといった外観上の不具合が生じ難く、薄紫から濃紫色を呈する固形石けん組成物に関する。
【背景技術】
【０００２】
従来より顔や身体用の皮膚用洗浄剤には、脂肪酸塩である石けんが使用されている。これは、石けんは容易に製造できると共に優れた起泡性を有し、さっぱりとした洗い上がりが好まれているためである。中でも固形石けんは最も一般的な皮膚用洗浄剤として広く使用されている。しかしながら、敏感肌の人の中には石けん特有の洗い上がりのさっぱり感をつっぱり感として感じる場合があった。
【０００３】
このような洗い上がりのつっぱり感を改善し、しっとりとした感触にする試みが数多くなされてきた。例えば、よもぎ抽出液と魚由来のコラーゲンと塩化マグネシウム等の海洋ミネラルを石鹸用素地に添加する方法（特許文献１参照）、カンゾウ抽出液とクジン抽出液とヨクイニン抽出液とセラミドおよび腐食泥板岩を石鹸用素地に添加する方法（特許文献２参照）等が検討されてきた。
【０００４】
また、使用時の感触を改善するために、泡質をクリーミーにすることが検討されてきた。泡質をクリーミーにする技術としては、例えば、モウソウチク抽出物とトレハロースを脂肪酸塩に添加する方法（特許文献３参照）等が知られている。
【０００５】
さらに、固形石けんの外観に特徴を与え、他製品との差別化を図ることが検討されており、そのひとつとして色素を用いた着色が試みられている。色素には天然色素や合成色素があるが、天然色素が好まれる傾向にある。従来から天然色素としてカロチンやパプリカ色素、クチナシ色素等が用いられているが、これらの色素によって着色した石けんは、くすみや色むらが生じて着色性が悪くなるという問題を有していた。このような問題を解決するため、ロスマリン酸を有効成分とする退色抑制剤（特許文献４参照）、セリ科の植物の抽出液を有効成分とする退色抑制剤（特許文献５参照）が開示されている。
【０００６】
しかしながら、使用感や泡質、着色性の改善がなされた上述の石けん組成物においても、使用感や泡質の改善、着色による発色が十分ではない場合があり、また固形石けんを調製したときのひび割れや、透明固形石けんを調製したときのべたつきといった外観上の不具合が生じるおそれがあった。
【先行技術文献】
【特許文献】
【０００７】
【特許文献１】特開２００３−３２１３４６号公報
【特許文献２】特開２００７−３０８６７３号公報
【特許文献３】特開２００９−２５６５３５号公報
【特許文献４】特開２００１−２７５６１１号公報
【特許文献５】特開２００４−０００１８０号公報
【発明の概要】
【発明が解決しようとする課題】
【０００８】
そこで本発明の目的は、起泡性が良好で、クリーミーな泡質であり、使用後に嫌なつっぱり感がなくしっとりとした感触に優れ、ひび割れやべたつきといった外観上の不具合が生じ難く、薄紫から濃紫色を呈する固形石けん組成物を提供することである。
【課題を解決するための手段】
【０００９】
上記課題を解決するため、本発明者らは鋭意検討した結果、コケモモ（Vaccinium vitis-idaea）果実抽出物、飽和脂肪酸アルカリ金属塩、特定の多価アルコールおよび水を特定の比率で組み合わせることで上記目的を達成できることを見出し、この知見に基づいて本発明を完成するに至った。すなわち、本発明は、下記（ａ），（ｂ），（ｃ），（ｄ）からなる固形石けん組成物である。
（ａ）コケモモ（Vaccinium vitis-idaea）果実抽出物０．００１〜５質量％、
（ｂ）飽和脂肪酸アルカリ金属塩３０〜９９質量％、
（ｃ）グリセリン、スクロース、ソルビトール、グリコシルトレハロースから選ばれる１種以上の多価アルコール０．１〜５０質量％、
（ｄ）水
【発明の効果】
【００１０】
本発明によれば、起泡性が良好で、クリーミーな泡質であり、使用後に嫌なつっぱり感がなくしっとりとした感触に優れ、ひび割れやべたつきといった外観上の不具合が生じ難く、薄紫から濃紫色を呈する固形石けん組成物を得ることができる。
【図面の簡単な説明】
【００１１】
【図１】固形石けんにおけるひび割れ評価試験の模式図である。
【発明を実施するための形態】
【００１２】
以下、本発明の実施形態を説明する。本発明の固形石けん組成物は、（ａ）コケモモ（Vaccinium vitis-idaea）果実抽出物、（ｂ）飽和脂肪酸アルカリ金属塩、（ｃ）グリセリン、スクロース、ソルビトール、グリコシルトレハロースから選ばれる１種以上の多価アルコール、および（ｄ）水を含有する。まず、（ａ）コケモモ果実抽出物について説明する。
【００１３】
〔（ａ）コケモモ果実抽出物〕
本発明における（ａ）成分に用いられるコケモモは、ツツジ科スノキ属に属する植物であり、学名はVaccinium vitis-idaeaである。コケモモは別名リンゴンベリー、マウンテンクランベリー、カウベリーとも呼ばれる。コケモモは、常緑小低木であり、北半球の寒帯に広く分布し、日本でも北海道から九州までの高山帯に生育している。高さは５〜２０ｃｍくらいで、地中の根茎を伸ばすことで株が拡大する。花期は初夏で、小鐘形の淡紅色を帯びた白花のあとに、紅色の径４〜７ｍｍくらいの房状球形果実をつける。
【００１４】
本発明に用いられる（ａ）成分のコケモモ果実抽出物は、コケモモ果実をそのまま、もしくは圧搾や破砕した後に、各種溶媒によって抽出することで得られるものであり、主成分はアントシアニン、プロアントシアニジン及びレスベラトロールである。これらは、いずれもポリフェノールの一種で、抗酸化物質として知られている。アントシアニンとは、色素であるアントシアン（果実や花の赤、青、紫を示す水溶性色素の総称）のうちのアントシアニジンがアグリコンとして糖や糖鎖と結びついた配糖体の一種であり、一般的にブルーベリー、ぶどう、プルーンなどに含有されていることが知られている。プロアントシアニジンとは、アントシアニジン同士が共有結合した構造を有するものであり、アントシアニンと同じく果実類に含まれ、特に、赤ワインには比較的多く含まれている。レスベラトロールとは、スチルベンの誘導体の一種であり、ぶどうの皮や赤ワインに含まれる成分である。
【００１５】
本発明に用いられるコケモモ果実抽出物は、コケモモの果実をそのまま、もしくは圧搾や破砕した後、各種溶媒によって抽出したものである。抽出に用いられる溶媒としては、炭化水素、エステル、ケトン、エーテル、ハロゲン化炭化水素、水溶性アルコール類および水などが挙げられる。中でも好ましくは、水、低級アルコール、多価アルコールの１種または２種以上であり、更に好ましくは、水、エタノール、1,3-ブチレングリコールの１種または２種以上が好ましい。
【００１６】
抽出方法は、コケモモの果実をそのまま、もしくは圧搾や破砕したものに、抽出溶媒を加えて１時間以上浸漬し、ろ過することで抽出液を得ることができる。抽出は、常圧または加圧下で、室温または加熱、冷却下で行うことができる。得られた抽出液は、そのまま用いてもよく、あるいは溶媒留去により濃縮したり、カラムクロマトグラフィーや溶媒分画等の処理により精製したりしてもよい。このようにして得られた抽出液から、通常行われる公知の方法によって乾燥することにより乾燥粉体（乾燥残留物）を得ることができる。
【００１７】
〔（ｂ）飽和脂肪酸アルカリ金属塩〕
本発明で使用する（ｂ）成分の飽和脂肪酸アルカリ金属塩は、飽和脂肪酸とアルカリ金属を含有する塩基性化合物とを反応させて得られる。飽和脂肪酸アルカリ金属塩を構成する脂肪酸は、例えば炭素数８〜２２の直鎖又は分岐の飽和脂肪酸であり、具体的にはカプリル酸、カプリン酸、ラウリン酸、ミリスチン酸、パルミチン酸、ステアリン酸、イソステアリン酸、ヒドロキシステアリン酸等が挙げられ、これらの単体脂肪酸を配合するほかに、極度硬化油や硬化脂肪酸等の混合飽和脂肪酸（例えば、牛脂、ヤシ油、パーム油、パーム核油、オリーブ油、コーン油、ヒマワリ油、ナタネ油、キャノーラ油、ダイズ油、ヒマシ油、これらの油脂を単独にて、または混合したものを硬化させた硬化油や硬化脂肪酸）、飽和脂肪酸のメチルエステルやエチルエステルも使用することができる。
【００１８】
さらに、起泡性、泡質などについて更なる向上を考慮すると、前記（ｂ）飽和脂肪酸アルカリ金属塩を構成する飽和脂肪酸が、ラウリン酸１０〜４０質量％、好ましくは１５〜４０質量％、ミリスチン酸３０〜７０質量％、好ましくは３５〜７０質量％、パルミチン酸５〜２５質量％、好ましくは５〜２３質量％、ステアリン酸０〜３０質量％、好ましくは０〜２０質量％からなり、かつラウリン酸、ミリスチン酸、パルミチン酸およびステアリン酸の合計量が１００質量％であることが好ましい。
【００１９】
また、飽和脂肪酸と反応させる塩基性化合物としては、アルカリ金属の水酸化物や炭酸塩の１種又は２種以上が用いられる。泡立ち、泡質の点から好ましくは、アルカリ金属の水酸化物である水酸化ナトリウム、水酸化カリウム等が用いられる。溶解性の点から、水酸化ナトリウムと水酸化カリウムを併用し、これら塩基性化合物の質量比（ナトリウム／カリウム）が９９／１〜５０／５０であることが好ましい。
【００２０】
〔（ｃ）多価アルコール〕
本発明で使用する（ｃ）成分は、グリセリン、スクロース、ソルビトール、グリコシルトレハロースから選ばれる１種以上の多価アルコールである。透明固形石けんを調製する場合には、これらの多価アルコールを二種以上併用するのが好ましい。
【００２１】
〔各成分の含有量〕
本発明の固形石けん組成物における各成分の含有量は、それぞれ（ａ）成分が０．００１〜５質量％、（ｂ）成分が３０〜９９質量％、（ｃ）成分が０．１〜５０質量％、残部が（ｄ）成分の水であり、（ａ）＋（ｂ）＋（ｃ）＋（ｄ）の含有量の合計が１００質量％である。
【００２２】
本発明に使用する（ａ）成分の含有量は０．００１〜５質量％であり、好ましくは０．０１〜３質量％、より好ましくは０．１〜１質量％である。（ａ）成分の含有量が０．００１質量％未満では、しっとり感、泡質と良好な発色が得られない場合がある。一方、（ａ）成分の含有量が５質量％を超えても配合量に見合った効果が得られず経済的に不利である。
【００２３】
なお、（ａ）成分の含有量は、コケモモ果実抽出物の乾燥残留物の質量であり、実際に溶媒を除去して乾燥させた残留物の質量のみならず、残留物に含まれる溶媒量を算出し、その溶媒量を減じた残留物の質量も概念的に包含される。例えば、抽出溶媒が揮発性である場合は、抽出溶媒を１０５℃〜１２０℃で完全に留去させ、残存した固形分の質量であり、抽出溶媒が不揮発性である場合は、高速液体クロマトグラフィー等で溶媒量を定量し、それ以外の成分量が乾燥残留物の質量である。
【００２４】
本発明で使用する（ｂ）成分の含有量は３０〜９９質量％であり、好ましくは３３〜９５質量％、より好ましくは３５〜９０質量％である。（ｂ）成分の含有量が３０質量％未満であると、十分な泡立ちが得られない場合がある。
【００２５】
本発明で使用する（ｃ）成分の含有量は０．１〜５０質量％であり、好ましくは０．３〜４５質量％、より好ましくは０．５〜４０質量％である。また本発明の固形石けん組成物を透明固形石けんとする場合には、（ｃ）成分を３０〜５０質量％含有させるのが好ましい。（ｃ）成分の含有量が０．１質量％未満であると、しっとり感が得られない場合やひび割れが生じる場合があり、５０質量％を超えると十分な泡立ちが得られない場合がある。
【００２６】
本発明で使用する（ｄ）成分の水の含有量は、機械練り方式で固形石けんとする場合は８〜１６質量％、枠練り方式で固形石けんとする場合は１２〜２５質量％であることが、本発明の固形石けん組成物を効率よく生産できるため好ましい。
【００２７】
本発明の固形石けん組成物は、機械練り方式または枠練り方式で製造することができるが、透明固形石けんを製造する場合には、枠練り方式が好ましい。枠練り方式で透明固形石けんを製造するには、例えば、あらかじめ溶解した飽和脂肪酸あるいは飽和脂肪酸エチルエステルに、（ｃ）成分の多価アルコール、エタノールおよび水を加え、塩基性化合物で中和した後、さらに（ａ）成分のツツジ科スノキ属のコケモモ（Vaccinium vitis-idaea）果実の抽出物を加える。次に、型枠に流し込んで石けんを固化した後、適当な大きさに切り取って乾燥室で乾燥する。乾燥後、荒磨き、型打ち、仕上げ磨きを行うことにより枠練り、透明固形石けんを得ることができる。
【００２８】
本発明で得られる固形石けん組成物は粉砕工程や乾燥工程、分球工程等を経て粉末石けんとして用いてもよい。
【００２９】
本発明の固形石けん組成物には、本発明の特徴を損なわない範囲で、洗浄剤に通常用いられる成分、例えば、油性原料、保湿剤、界面活性剤、増粘剤、酸化防止剤、キレート剤、香料、着色料、動植物抽出物等を適宜配合することができる。
【実施例】
【００３０】
以下、実施例および比較例を挙げて本発明をさらに具体的に説明する。本発明の実施例で用いるコケモモ果実抽出物は以下の手順によって調製した。なお、特に断りのない限り、％は質量％を表し、部は質量部を表す。
【００３１】
＜コケモモ果実の抽出物の調製＞
コケモモ果実１０ｋｇを圧搾してから、１０ｋｇのエタノールと１０ｋｇの水を加えて室温で１週間抽出し、ろ過することによりコケモモ果実の抽出液を得た。その抽出液をロータリーエバポレーターで減圧下、６０℃で乾燥濃縮し、コケモモ果実抽出物を５０ｇ得た。
【００３２】
＜固形石けんの調製＞
コケモモ（Vaccinium vitis-idaea）果実抽出物と、表１に示す組成の混合脂肪酸１〜４と、表２に示す塩基性化合物と、表３に示す共通配合原料を用いて、下記の方法により表４および表５に示す固形石けんを調製した。なお、混合脂肪酸１〜４は単体脂肪酸を適宜配合して調製した。表１中のＣ１２はラウリン酸、Ｃ１４はミリスチン酸、Ｃ１６はパルミチン酸、Ｃ１８はステアリン酸である。
【００３３】
〔調製例１（実施例１）〕
５Ｌ双腕式混練機（入江商会（株）製ＰＮＶ−５型）を用いて混合脂肪酸１０００ｇを７０℃で溶解した後、表２に示す塩基性化合物の２８％塩基性化合物水溶液を用いて中和した。中和点はフェノールフタレイン指示液を用いて確認した。加熱攪拌により水分１０質量％程度まで乾燥し石けん素地を得た。この石けん素地に表３に示す共通配合成分、表４に示す（ａ）成分および（ｃ）成分を所定の割合で添加して、口金にハチノス状の金具を付けたプロッダー（日本化工機（株）製「ミニソーププロッダー」）とロールミル（アイメックス（株）製「BR-150型ベンチロール」）で３回混練した後、プロッダーでソープバーとし、これを足踏み式型打ち機で型打ちして固形石けん（６０×４０×１５ｍｍ）を得た。得られた固形石けんの乾燥減量をJIS-K3304に準じて測定し、これを水の含量とした。
【００３４】
実施例及び比較例には以下の化合物を使用した。
グリセリン・・・・・・・日油（株）「ＲＧ−Ｓ」
スクロース・・・日本粉末薬品（株）「日本薬局方白糖」
ソルビトール・・・東和化成工業（株）「ソルビット  Ｄ−７０」
グリコシルトレハロース・・・（株）林原生物化学研究所「トルナーレ」
ラウリン酸・・・・・・日油（株）「ＮＡＡ−１２２」
シコンエキス・・・（株）一丸ファルコス「シコニックスリキッド（ＢＧ）」（有効分０．４％）
ビルベリー葉エキス・・・（株）一丸ファルコス「エコファーム  ビルベリーリーフ
Ｅ」（エタノール水溶液）を乾燥して、得られた乾燥物を用いた。
２８％塩基性化合物水溶液・・・試薬特級グレードの塩基性化合物に蒸留水を加え濃度２８質量％とした。
【００３５】
【表１】
2012102150.tif 000002
【００３６】
【表２】
2012102150.tif 000003
【００３７】
【表３】
2012102150.tif 000004
【００３８】
表４および表５に示す組成（質量％）で、調製例１と同様に調製して、実施例２〜５、比較例１〜４の固形石けんを得た。得られた実施例１〜５および比較例１〜４の固形石けんに対し、起泡性、泡質、しっとり感、ひび割れ、発色について、それぞれ下記の基準によって評価を行った。
【００３９】
（起泡性）１０名の女性（１０代〜３０代）をパネラーとし、石けんを手に取って泡立てた際の泡立ちについて下記の基準に基づき評価した。
２点・・泡が速やかに立ち、良好な泡立ちと感じた場合
１点・・泡が立つまで若干時間を要すると感じた場合
０点・・泡が立つまで非常に時間を要し、泡立ちが悪いと感じた場合
なお、全てのパネラーの合計点から以下の通り判定した。
○・・合計点が１４〜２０点であり、かつ０点を付けた人がいない。
△・・合計点が７〜１３点である。
×・・合計点が０〜６点である。
【００４０】
（泡質）１０名の女性（１０代〜３０代）をパネラーとし、石けんを泡立てた際の泡質について下記の基準に基づき評価した。
２点・・非常にクリーミーな泡質であると感じた場合
１点・・少しクリーミーであるが、さらにクリーミーであることが望ましいと感じた場合
０点・・クリーミーではないと感じた場合
なお、全てのパネラーの合計点から以下の通り判定した。
○・・合計点が１４〜２０点であり、かつ０点を付けた人がいない。
△・・合計点が７〜１３点である。
×・・合計点が０〜６点である。
【００４１】
（しっとり感）１０名の女性（１０代〜３０代）をパネラーとし、石けんの使用感について下記の基準に基づき評価した。
２点・・つっぱり感、ぬめり感がなく、洗い上がりが良好である。
１点・・わずかにつっぱり感、ぬめり感がある。
０点・・つよいつっぱり感、ぬめり感がある。
なお、全てのパネラーの合計点から以下の通り判定した。
○・・合計点が１４〜２０点であり、かつ０点を付けた人がいない。
△・・合計点が７〜１３点である。
×・・合計点が０〜６点である。
【００４２】
（ひび割れ）固形石けんを約２０℃の水中に９０分間浸漬したのち取り出し、一昼夜２０℃恒温槽で放置乾燥した。放置後の石けん表面の亀裂を観察し、下記の基準で評価した。なお、図１に示すように、固形石けん１は、鰐口状に折り曲げた針金２の端部で挟んで固定し、針金２の頂部を糸３で吊るして、石けんの全表面が水や空気に等しく接触するように試験した。
○・・全くひび割れがない。
△・・浅い、または小さいひび割れがある。
×・・深い、または大きいひび割れがある。
【００４３】
（発色）固形石けんを目視で観察し、下記の基準で評価した。
○・・鮮やかな発色である。
△・・少しくすんだ発色である。
×・・かなりくすんだ発色であるか、または全く発色していない。
【００４４】
表４に示すように実施例１〜５では、（ａ）成分のコケモモ果実抽出物を０．００１〜５質量％、（ｂ）成分の飽和脂肪酸アルカリ金属塩を３０〜９９質量％、（ｃ）成分の多価アルコールを０．１〜５０質量％含有することによって、いずれも良好な起泡性、泡質、しっとり感、ひび割れ防止効果および発色に優れた固形石けんを得ることができる。
【００４５】
これに対して表５に示すように、コケモモ果実抽出物を含有しない比較例１では、しっとり感、ひび割れ防止、発色で十分な効果が得られていない。またコケモモ果実抽出物を用いずに、シコンエキスを含有する比較例２では、泡質、しっとり感、ひび割れ防止効果、発色が不十分であり、ビルベリー葉エキスを０．１％含有する比較例３では、泡質、しっとり感、ひび割れ防止効果、発色が不十分であり、ビルベリー葉エキスを１％含有する比較例４では、しっとり感および発色が不十分であった。
【００４６】
【表４】
2012102150.tif 000005
【００４７】
【表５】
2012102150.tif 000006
【００４８】
さらに、コケモモ果実抽出物と、表１に示す組成の混合脂肪酸１と、表６に示す塩基性化合物と、表７に示す共通配合原料を用いて、下記の方法により表８に示す透明固形石けんを調製した。
【００４９】
〔調製例２（実施例６）〕
還流装置と攪拌機を有する四ツ口フラスコを用いて、温度８０℃で混合脂肪酸１０００ｇを溶解する。ついで、攪拌しながら水１５０ｇとエタノール６００ｇを加える。つぎに、あらかじめ調製した表６に示す塩基性化合物の２８％塩基性化合物水溶液（水酸化ナトリウム／水酸化カリウム＝８０％／２０％）をゆっくりと加え均一になるまで攪拌混合する。つぎに、表７の共通配合成分、表８に示す（ａ）成分および（ｃ）成分を所定の割合で加え、均一に混合する。少量を取り出しフェノールフタレイン指示薬にて微紅色であることを確認する。微紅色でなければ、２８％塩基性化合物水溶液または脂肪酸により調整する。
【００５０】
つぎに、円筒形の型枠（φ６５ｍｍ）に流し込み、室温で１２時間放冷して固化する。完全に固化したことを確認し型枠より取り出し、厚み３ｃｍに切る。切断した透明固形石けんを１ヶ月間室温にて乾燥する。ついで、型打ち、磨きを行い、さらに一夜乾燥させた後に仕上げ磨きを行って直径６．５ｃｍ、厚み２．２ｃｍの透明固形石けんを得た。
【００５１】
【表６】
2012102150.tif 000007
【００５２】
【表７】
2012102150.tif 000008
【００５３】
表８に示す組成（質量％）で、調製例２と同様に調製して、実施例７および８、比較例５〜７の透明固形石けんを得た。得られた実施例６〜８および比較例５〜７の透明固形石けんに対し、起泡性、泡質、しっとり感、発色について固形石けんと同様の基準で評価し、さらに、透明性、べたつきについて下記の基準によって評価を行った。
【００５４】
（透明性）２０名のパネラー（１０代〜３０代）により、透明固形石けんの透明性を目視にて、また４ポイントのカタカナを書いた紙の上に透明固形石けんを乗せることにより判定し、２０名の合計値を求めて評価した。ただし、エキス由来の不溶性成分は曇りや濁りと見なさず、石けん分由来の白い濁りや曇りのみを判断基準とした。
２点・・・曇りがなく透明であり、４ポイントの文字が容易に判別できる。
１点・・・わずかに曇りがあるが透明であり、４ポイントの文字が判別できる。
０点・・・曇りや濁りがあり、４ポイントの文字を判別できないか、一部または全部が白濁している。
なお、全てのパネラーの合計点から以下の通り判定した。
○・・・合計点が２８〜４０点で、且つ０点を付けた人がいない。
△・・・合計点が１４〜２７点で、且つ０点を付けた人がいない。
×・・・合計点が０〜１３点であるか、または０点を付けた人がいる。
【００５５】
（べたつき）湿度８５％（温度２３℃）の恒温槽に１２時間放置した後の試料の表面の状態を目視及び手触りにより以下の判定基準で判断した。
○・・・べたつきや発汗は認められない。
△・・・わずかにべたつきや発汗が認められる。
×・・・顕著にべたつきや発汗が認められる。
【００５６】
【表８】
2012102150.tif 000009
【００５７】
表８に示すように実施例６〜８では、（ａ）成分のコケモモ果実抽出物を０．００１〜５質量％、（ｂ）成分の飽和脂肪酸アルカリ金属塩を３０〜９９質量％、（ｃ）成分の多価アルコールを０．１〜５０質量％含有することによって、優れた透明性、発色性を有すると共に、べたつきや発汗が起こり難く、また使用時の起泡性に優れると共にクリーミーな泡質で使用感に優れ、使用後はしっとりとした保湿効果に優れた枠練り透明石けんが得られることが判る。
【００５８】
これに対して、コケモモ果実抽出物を含有しない比較例５では、泡質、発色で十分な効果が得られていない。コケモモ果実抽出物を用いずに、シコンエキスを用いている比較例６では、しっとり感、発色が不十分であった。コケモモ果実抽出物を用いずに、ビルベリー葉エキスを用いている比較例７では、起泡性、発色が不十分であった。
【符号の説明】
【００５９】
１：固形石けん
２：針金
３：糸
【図１】
2012102150.tif 000010